(57)【特許請求の範囲】
【請求項１】
上部が開口されるとともに、内部にグリルユニットが配置される筐体と、
ガスと空気を混合する管状部であって所定方向に延びる混合管部と、前記混合管部の一端部が下部に接続されるとともに、上部にバーナヘッドを載置するバーナ本体と、前記バーナ本体に設けられたバーナ取付部とを備えるバーナと、
前記筐体の側壁と前記グリルユニットとの間を架設して、前記バーナを前記筐体の内部に取り付ける取付台とを備えたこんろであって、
前記取付台は、前記筐体の前記側壁に取り付けられる第一取付部と、前記グリルユニットに取り付けられる第二取付部と、前記第一取付部と前記第二取付部との間を同じ高さで延び、前記バーナを取り付けるための第三取付部とを備え、
前記第三取付部は、
内側に前記混合管部の下部を位置させる開口部と、
前記開口部を挟む位置に設けられ、前記第一取付部と前記第二取付部とを結ぶ第一方向と前記所定方向とが交差するように前記混合管部を配置した前記バーナの前記バーナ取付部を固定するバーナ固定部とを備え、
前記第三取付部における前記混合管部が配置される側とは反対側の端部には、電装部品を前記バーナヘッドの近傍に設置するための第一設置部が設けられており、
前記開口部における前記第一設置部側の縁部には、前記バーナによって加熱される被加熱物の温度を検知する温度センサを設置するための第二設置部が設けられており、
前記第三取付部における前記第一設置部が設けられる側とは反対側の端部には、前記第三取付部よりも下方において前記第一方向に沿って延びる溝部が設けられていることを特徴とするこんろ。
【請求項２】
前記第一取付部は、前記筐体の前記側壁側の端部から上方に延びる第一取付片を備え、
前記筐体の前記側壁は、前記第一取付片を差し込むための第一差込孔を備え、
前記第二取付部は、前記第三取付部と同じ高さから下方に延びる第二取付片を備え、
前記グリルユニットの上面部は、前記第二取付片を差し込むための第二差込孔を備え、
前記取付台は、前記第一差込孔に対して前記第一取付片が下方から差し込まれ、前記第二差込孔に対して前記第二取付片が上方から差し込まれた状態で、前記筐体の側壁と前記グリルユニットとの間に架設されていることを特徴とする請求項１に記載のこんろ。
【請求項３】
前記溝部は、
前記第三取付部から下方に屈曲して延びる第一壁部と、
前記第一壁部の下端から水平に屈曲して延びる水平部と、
前記水平部の前記第一壁部側とは反対側の端部から上方に屈曲して延びる第二壁部と
を備えることを特徴とする請求項１又は２に記載のこんろ。
【請求項４】
前記溝部は、前記第二取付部側の端部に設けられた第一固定孔を備え、
前記グリルユニットは、前記上面部に対して下方に段差を有する段差部を備え、
前記段差部において、前記第一固定孔と上下方向に重なり合う位置には、第二固定孔が設けられており、
前記第一固定孔と前記第二固定孔とは螺子止め固定され、
前記溝部における前記第一固定孔よりも前記第三取付部側に、前記溝部を上下方向に貫通する孔部が設けられていることを特徴とする請求項２又は３に記載のこんろ。
【発明の詳細な説明】
【技術分野】
【０００１】
本発明は、バーナを備えたこんろに関する。
【背景技術】
【０００２】
従来、バーナを備えたこんろが知られている。特許文献１に開示されたこんろは、バーナ、点火電極、熱電対及びセンサのそれぞれをこんろの筐体に設置するための機構として、取付台、取付座、第１フレーム部材及び第２フレーム部材を備えている。取付座は、中央にバーナ本体を受け入れ可能な左右幅を有する凹部を有しており、凹部の内側にセンサを係止する。第１フレーム部材は、点火電極及び熱電対を設置する。第２フレーム部材は、バーナ本体を固定するとともに、こんろの天板とバーナとを連結する。取付台の上に取付座が、取付座の上に第１フレーム部材が、第２フレーム部材の上に第２フレーム部材がそれぞれ重ね合された状態で、第２フレーム部材の上にバーナ本体が配置される。そして、バーナ本体とともに取付座、第１フレーム部材、第２フレーム部材が取付台に対してねじ止めされる。
【先行技術文献】
【特許文献】
【０００３】
【特許文献１】特開２０１２−３２０９７号公報
【発明の概要】
【発明が解決しようとする課題】
【０００４】
しかしながら、このようなバーナ等取付機構の部品点数が増加するにつれて、バーナ等取付機構の組み付け工程も増加しやすくなる。また、バーナ等取付機構の部品点数が増加することは、製造コスト・管理コスト軽減の観点からも好ましくない。
【０００５】
また、グリル庫が設けられるこんろでは、バーナ等取付機構が、筐体の側壁とグリル庫との間に架設されることがある。筐体の内部には、グリル庫をはじめ、バーナ本体へ燃料を供給するための燃料供給機構、電池・ハーネス等の各種電装部品等の各種の部品が配置されている。天板側から筐体内部に向けて煮汁などの液体が浸入した場合、筐体内部の部品に液体が滴下すると、バーナ本体への燃料供給に不具合が生じたり、電気的なトラブルが生じたりする可能性があるといった問題がある。
【０００６】
本発明はこのような問題点を解決するためになされたものであり、少ない部品でバーナ及びバーナに近接配置される電装部品を設置するとともに、筐体内部への液体の浸入による不具合の発生を低減できるこんろを提供することを目的とする。
【課題を解決するための手段】
【０００７】
本発明の請求項１に係るこんろは、上部が開口されるとともに、内部にグリルユニットが配置される筐体と、ガスと空気を混合する管状部であって所定方向に延びる混合管部と、前記混合管部の一端部が下部に接続されるとともに、上部にバーナヘッドを載置するバーナ本体と、前記バーナ本体に設けられたバーナ取付部とを備えるバーナと、前記筐体の側壁と前記グリルユニットとの間を架設して、前記バーナを前記筐体の内部に取り付ける取付台とを備えたこんろであって、前記取付台は、前記筐体の前記側壁に取り付けられる第一取付部と、前記グリルユニットに取り付けられる第二取付部と、前記第一取付部と前記第二取付部との間を同じ高さで延び、前記バーナを取り付けるための第三取付部とを備え、前記第三取付部は、内側に前記混合管部の下部を位置させる開口部と、前記開口部を挟む位置に設けられ、前記第一取付部と前記第二取付部とを結ぶ第一方向と前記所定方向とが交差するように前記混合管部を配置した前記バーナの前記バーナ取付部を固定するバーナ固定部とを備え、前記第三取付部における前記混合管部が配置される側とは反対側の端部には、電装部品を前記バーナヘッドの近傍に設置するための第一設置部が設けられており、前記開口部における前記第一設置部側の縁部には、前記バーナによって加熱される被加熱物の温度を検知する温度センサを設置するための第二設置部が設けられており、前記第三取付部における前記第一設置部が設けられる側とは反対側の端部には、前記第三取付部よりも下方において前記第一方向に沿って延びる溝部が設けられていることを特徴とする。
【０００８】
請求項２に係るこんろは、請求項１に記載の構成に加えて、前記第一取付部は、前記筐体の前記側壁側の端部から上方に延びる第一取付片を備え、前記筐体の前記側壁は、前記第一取付片を差し込むための第一差込孔を備え、前記第二取付部は、前記第三取付部と同じ高さから下方に延びる第二取付片を備え、前記グリルユニットの上面部は、前記第二取付片を差し込むための第二差込孔を備え、前記取付台は、前記第一差込孔に対して前記第一取付片が下方から差し込まれ、前記第二差込孔に対して前記第二取付片が上方から差し込まれた状態で、前記筐体の側壁と前記グリルユニットとの間に架設されていることを特徴とする。
【０００９】
請求項３に係るこんろは、請求項１又は２に記載の構成に加えて、前記溝部は、前記第三取付部から下方に屈曲して延びる第一壁部と、前記第一壁部の下端から水平に屈曲して延びる水平部と、前記水平部の前記第一壁部側とは反対側の端部から上方に屈曲して延びる第二壁部とを備えることを特徴とする。
【００１０】
請求項４に係るこんろは、請求項２又は３に記載の構成に加えて、前記溝部は、前記第二取付部側の端部に設けられた第一固定孔を備え、前記グリルユニットは、前記上面部に対して下方に段差を有する段差部を備え、前記段差部において、前記第一固定孔と上下方向に重なり合う位置には、第二固定孔が設けられており、前記第一固定孔と前記第二固定孔とは螺子止め固定され、前記溝部における前記第一固定孔よりも前記第三取付部側に、前記溝部を上下方向に貫通する孔部が設けられていることを特徴とする。
【発明の効果】
【００１１】
請求項１に係るこんろは、取付台の第三取付部において、混合管部の下部を位置させる開口部と、開口部を挟む位置においてバーナ取付部を固定するバーナ固定部とを備えている。このため、バーナ取付部が第三取付部のバーナ固定部に取り付けられたときに、混合管部が取付台に干渉することがない。また、混合管部が配置される側とは反対側の第三取付部の端部に第一設置部が、開口部における第一設置部側の縁部に第二設置部がそれぞれ設けられている。このため、請求項１に係るこんろは、部品点数を増やすことなく、温度センサを含むバーナに近接配置される電装部品を、バーナとともに取付台に設置できる。さらに、取付台は、溝部において筐体内部へ浸入した液体を受けることができる。したがって、請求項１に係るこんろは、筐体内部への液体の浸入による不具合の発生を低減できる。
【００１２】
第一取付部には、筐体の側壁側の端部から上方に延びる第一取付片が設けられ、第二取付部には、第三取付部と同じ高さから下方に延びる第二取付片が設けられている。第一取付片が、筐体の前記側壁に備えられた第一差込孔に下方から差し込まれると、第二差込孔に対して第二取付片が上方から差し込まれる。すなわち、請求項２に係るこんろは、請求項１に記載の発明の効果に加えて、筐体の側壁とグリルユニットとの間を架設させて取付台を設置する際に、取付台を容易に位置決めすることができる。
【００１３】
請求項３に係るこんろは、請求項１又は２に記載の発明の効果に加えて、溝部が第一壁部、水平部及び第二壁部を備えて構成されているので、溝部を取付台に一体に成型できる。
【００１４】
請求項４に係るこんろは、請求項２又は３に記載の発明の効果に加えて、溝部の第二取付部側の端部に設けられた第一固定孔と、グリルユニットの段差部に設けられた第二固定孔とが螺子止め固定されるので、グリルユニットに対して取付台をより強固に取り付けることができる。また、溝部の前記第一孔部よりも第三取付部側に孔部が設けられているので、溝部に受け止められた液体は、孔部から下方に落ちる。これにより、溝部に受け止められた液体が、溝部とグリルユニットとの螺子止め部に至ることが防止されるので、グリルユニットの内部に液体が浸入するような不具合の発生が低減される。
【図面の簡単な説明】
【００１５】
【図１】こんろ１の斜視図である。
【図２】天板を省略したこんろ１の斜視図である。
【図３】こんろ１の分解斜視図である。
【図４】バーナ取付台２７の斜視図である。
【図５】バーナ取付台２７の平面図である。
【図６】こんろバーナ５の取り付けられたバーナ取付台２７の斜視図である。
【図７】筐体２内部へのバーナ取付台２６の取付構造を示す、こんろ１の拡大斜視図である。
【発明を実施するための形態】
【００１６】
以下、本発明の実施形態について、図面を参照して説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１７】
図１及び図２を参照して、こんろ１の概略構成を説明する。こんろ１は、グリル付きテーブルこんろである。こんろ１は、筐体２と天板３を備える。筐体２は、上面に開口部２５（図２参照）を備えた略直方体状に形成されている。天板３は、平面視略矩形状に形成され、筐体２の開口部２５の上部に螺子（図示せず）で固定されている。天板３の種類は限定しないが、例えばホーロー素材等を採用できる。天板３の内側には、左右一対のこんろバーナ５，５が設けられている。天板３の左右方向の中央部の後端側には、排気口部９が設けられている。排気口部９は、平面視左右方向に長い略矩形状に形成されている。排気口部９は、筐体２内に設置されたグリル庫５００（図２参照）内の燃焼によって生じた燃焼ガスを外部に排出する。排気口部９には、複数のスリット１９１を備える安全カバー１９０が上側から装着されている。
【００１８】
図２に示すように、筐体２は、筐体本体部２０、前板部２４の二つの板金部材を互いに組み付け、螺子（図示せず）で固定することによって構成されている。筐体本体部２０は、前側が開口する平面視略Ｕ字形状に形成されている。筐体本体部２０は、右側板部２１、左側板部２２、後板部２３を備える。右側板部２１は、筐体２の右側壁をなす。右側板部２１の上部における前後方向略中央部には、固定孔２１１，２１２が設けられている。左側板部２２は、筐体２の左側壁をなす。左側板部２２の上部における前後方向略中央部には、固定孔２２１，２２２が設けられている（図３参照）。後板部２３は、筐体２の後側壁をなし、右側板部２１及び左側板部２２のそれぞれの後端部同士を繋いでいる。このような筐体本体部２０の開口する前側に、正面視略矩形状の前板部２４が螺子（図示せず）で組み付けられている。前板部２４は、筐体２の前側壁をなす。
【００１９】
前板部２４の左右方向の中央部には、グリル用の開口部２４１（図７参照）が設けられている。開口部の内側には、グリル庫５００（図７参照）の前側に設けられたグリル開口５００Ａ（図７参照）が配置されている。開口部には、グリル扉１０が前後方向に移動可能に設けられている。ユーザがグリル扉１０を手前側に引き出すと、グリル扉１０の背面下部に連結した受皿（図示せず）及び焼き網（図示せず）を、グリル庫５００内から同時に取り出すことができる。
【００２０】
前板部２４の前面において、グリル扉１０の右側には、ツマミ１１，１２が設けられている。グリル扉１０の左側には、ツマミ１３が設けられている。ツマミ１１〜１３は押し回し式である。ツマミ１１，１３は、こんろバーナ５，５を点火する場合に、正面視反時計回りに約９０°押し回しされる。点火後は、時計回りに回動させることによって、火力が大火力から小火力に調節される。ツマミ１１，１３を点火前の位置に戻すと、こんろバーナ５，５が消火される。なお、ツマミ１２の操作方法は、ツマミ１１と同じである。ツマミ１２は、グリル庫５００内に設置されるグリルバーナ（図示せず）を点火する場合に押し回しされる。ツマミ１３の左側には、電池ボックス１５が設けられている。電池ボックス１５は、こんろ１に電源を供給する乾電池（図示せず）を格納する。なお、ツマミ１１〜１３は、押し込み式のスイッチ等であってもよい。
【００２１】
図２及び図３を参照し、筐体２の内部構造を説明する。筐体２の内側における左右方向の略中央部には、グリルユニット４０が設置されている。グリルユニット４０は、グリル庫５００と遮熱板７０とを備える。図３に示すように、グリル庫５００は、下から順に、ユニット本体部５０とグリルフード６０を備える。ユニット本体部５０は、上面が開口する断面略Ｕ字状の箱型であり、内部に、被調理物を加熱する加熱空間を形成する。
【００２２】
グリルフード６０は、平面視略矩形の板状である。グリルフード６０は、ユニット本体部５０の開口する上部を塞ぐように螺子（図示せず）で固定されている。グリルフード６０は、フード本体部６１、右縁部６２、左縁部６３、排気筒６６等を備える。フード本体部６１は、平面視略矩形状に形成されている。フード本体部６１の下側に、グリルバーナが設けられている。スロート部６５１は、フード本体部６１の後部から右方向に延びる。スロート部６５１の右端部には、ガスを流入させる流入口６５３が設けられている。流入口６５３は、ガス配管２８の下流側端部に設けられたノズル（図示せず）と対向する。該ノズルは、ツマミ１２の回動量に応じた量のガスを、流入口６５３に向かって噴出する。スロート部６５１は、ノズルから噴出されたガスと、ガスの噴出により引き込まれる筐体２内の空気を管内で混合し、燃焼部に供給する。
【００２３】
右縁部６２は、フード本体部６１の右端部から右方に向かって略水平に延設され、平面視前後方向に延びる略帯状に形成されている。右縁部６２の前後方向の略中央部には、円形状の固定孔６２１が設けられている。左縁部６３は、フード本体部６１の左端部から左方に向かって略水平に延設され、平面視前後方向に延びる略帯状に形成されている。左縁部６３前後方向の略中央部には、固定孔６３１が設けられている。排気筒６６は、グリルフード６０の後部に設けられている。排気筒６６は、下側から上側に向けた筒状に形成されている。排気筒６６の上端部には、平面視左右方向に長い略矩形状の開口部６６１が設けられている。開口部６６１は、天板３の後部に設けられた排気口部９の直下に配置される。排気筒６６は、グリル庫５００内の燃焼により生じた燃焼ガスを、開口部６６１を介して天板３の排気口部９に導く。
【００２４】
遮熱板７０は、金属板で構成され、グリルフード６０を上方から覆うことができる程度の大きさの平面視略矩形状である。遮熱板７０は、グリルフード６０の上面を覆うように隙間を空けて支持され、グリルバーナ６５から伝わる熱を遮断することで、天板３の温度が過度に上昇することを防止する。
【００２５】
遮熱板７０は、本体部７１、右縁部７２、左縁部７３等を備える。本体部７１は、正面視下側が開口する略コの字型で、且つ平面視略矩形状に形成されている。本体部７１の右部における前後方向略中央部には、上下方向に貫通する平面視略矩形状の貫通孔７１１，７１２が設けられている。本体部７１の左部における前後方向略中央部には、上下方向に貫通する平面視略矩形状の貫通孔７１３，７１４が設けられている。
【００２６】
右縁部７２は、本体部７１の右部の上面に対して一段下方に段差を有して右側方に突出し、平面視前後方向に延びる略帯状に形成されている。右縁部７２の前後方向略中央部には、固定孔７２１が設けられている。遮熱板７０がグリルフード６０の上面を覆った状態で、右縁部７２は、グリルフード６０の右縁部６２の上面に当接する。このとき、固定孔７２１は、右縁部６２に設けられた固定孔６２１に位置決めされる。
【００２７】
左縁部７３は、本体部７１の左部の上面に対して一段下方に段差を有して左側方に突出し、平面視前後方向に延びる略帯状に形成されている。左縁部７３の前後方向略中央部にも、固定孔７３１が設けられている。遮熱板７０がグリルフード６０の上面を覆った状態で、左縁部７３は、グリルフード６０の左縁部６３の上面に当接する。このとき、固定孔７３１は、左縁部６３に設けられた固定孔６３１に位置決めされる。
【００２８】
遮熱板７０の上面の右端側と、筐体２の右側板部２１の上端部との間には、バーナ取付台２６が略水平に架設されている。バーナ取付台２６は、本体部７１の右部に設けられた貫通孔７１１，７１２と、右側板部２１に設けられた固定孔２１１，２１２との間を、左右方向に延びる。バーナ取付台２６には、右側のこんろバーナ５が取り付けられている。こんろバーナ５は、バーナ本体部５１とスロート部５６とを備える。バーナ本体部５１は、円環状のバーナキャップ５２が上部に載置されることで、外周面に複数の炎孔部を形成する。バーナ本体部５１の左縁部には、フランジ部５７が設けられている。バーナ本体部５１の右縁部には、フランジ部５８が設けられている。フランジ部５７，５８には、フランジ部５７，５８のそれぞれを上下に貫通する丸穴である固定孔５７１，５８１が設けられている。固定孔５７１，５８１は、バーナ取付台２６にフランジ部５７，５８を固定するための螺子孔である。スロート部５６の後端部は、バーナ本体部５１の下部に前側から接続する接続部５１Ａ（図６参照）を形成している。スロート部５６の前端部は、接続部５１Ａから前方向に延びる。スロート部５６の前端部には、ガスを流入させる流入口５６１が設けられている。スロート部５６は、バーナ取付台２６における後述の第一取付部３１と第二取付部３２とを結ぶ方向である左右方向に交差するように、前後方向に延びて配置される。
【００２９】
他方、遮熱板７０の上面の右端側と、筐体２の左側板部２２の上端部との間には、バーナ取付台２７が略水平に架設されている。バーナ取付台２７は、本体部７１の左部に設けられた貫通孔７１３，７１４と、左側板部２２に設けられた固定孔２２１，２２２との間を、左右方向に延びる。バーナ取付台２７は、バーナ取付台２６と左右対称の構造を有する。バーナ取付台２７には、左側のこんろバーナ５が取り付けられている。左側のこんろバーナ５は、右側のこんろバーナ５と同一形状である。フランジ部５７，５８に設けられた固定孔５７１，５８１はバーナ取付台２７にバーナ本体部５１を固定するための螺子孔である。スロート部５６は、バーナ取付台２７における後述の第一取付部３１と第二取付部３２とを結ぶ方向である左右方向に交差するように、前後方向に延びて配置される。
【００３０】
前板部２４の背面側において、ツマミ１１，１３に対応する位置には、こんろバーナ５，５用のガス量調節装置１８，１９が設けられている。ガス量調節装置１８，１９には、図示しないガス配管からガスが供給される。ガス量調節装置１８，１９はガスを噴出するノズル１８Ａ，１９Ａを備える。ノズル１８Ａ，１９Ａは後方に突出し、ツマミ１１，１３の回動量に応じた量のガスを、こんろバーナ５，５のスロート部５６，５６の流入口５６１，５６１に向けて噴出する。スロート部５６，５６は、ノズル１８Ａ，１９Ａから噴出されるガスと、ガスの噴出により引き込まれる筐体２内の空気をスロート部５６、５６内で混合し、バーナ本体部５１，５１に供給する。
【００３１】
図４から図７を参照して、バーナ取付台２７の詳細構造について説明する。バーナ取付台２６は、バーナ取付台２７と左右対称の構造を有するので、バーナ取付台２６の詳細構造については、説明を適宜省略する。なお、バーナ取付台２６において、バーナ取付台２７の各部と左右対称の位置に設けられる各部の名称については、バーナ取付台２７の各部と同様の名称を用いることとする。バーナ取付台２６，２７は、例えば、板金をプレス加工すること等によって形成される。
【００３２】
図４及び図５に示すように、バーナ取付台２７は、左右方向に延びる金属製の帯状である。バーナ取付台２７は、本体部３３、開口部３８、第一取付部３１、第二取付部３２、第一設置部３４、第二設置部３５、第三設置部３６、溝部３７等を備える。
【００３３】
本体部３３は、左右方向に長さを有する平面視略矩形状に形成されている。本体部３３は、バーナ取付台２７の上面を、左右方向に略水平に延びる面部である。開口部３８は、本体部３３の右端側に寄った位置において、本体部３３を上下に貫通する平面視略矩形状の開口部である。開口部３８の左右方向の長さは、バーナ本体部５１の左右方向の長さよりも僅かに長くされている。本体部３３には、開口部３８を左右に挟む位置に、本体部３３を上下に貫通する丸穴である固定穴３３１，３３２が設けられている。固定穴３３１，３３２は、本体部３３にこんろバーナ５を固定するための螺子孔である。左側のこんろバーナ５は、フランジ部５７の固定孔５７１と、本体部３３の固定穴３３１とを上下に位置決めし、また、フランジ部５８の固定孔５８１と、本体部３３の固定穴３３２とを上下に位置決めした状態で、フランジ部５７，５８のそれぞれの下面を本体部３３に当接させる（図３参照）。このとき、接続部５１Ａが、本体部３３に干渉することなく、開口部３８の内側に位置する（図６参照）。この状態で、フランジ部５７の固定孔５７１と、本体部３３の固定穴３３１とが、螺子５７Ａ（図３参照）によって締結される。また、フランジ部５８の固定孔５８１と、本体部３３の固定穴３３２とが、螺子５８Ａ（図３参照）によって締結される。これにより、バーナ取付台２７に、左側のこんろバーナ５が取り付けられる。
【００３４】
なお、バーナ取付台２６への右側のこんろバーナ５の取り付けでは、フランジ部５７の固定孔５７１と、本体部３３の固定穴３３２とが上下に位置決めされ、また、フランジ部５８の固定孔５８１と、本体部３３の固定穴３３１とが上下に位置決めされ状態で、フランジ部５７，５８のそれぞれの下面が本体部３３に当接される。このとき、接続部５１Ａが、開口部３８の内側に位置する。この状態で、フランジ部５７の固定孔５７１と、本体部３３の固定穴３３２とが、螺子５７Ａ（図３参照）によって締結される。また、フランジ部５７の固定孔５８１と、本体部３３の固定穴３３２とが、螺子５８Ａ（図３参照）によって締結される。これにより、バーナ取付台２６に、右側のこんろバーナ５が取り付けられる。
【００３５】
第一取付部３１は、バーナ取付台２７の左端部を構成する。第一取付部３１は、バーナ取付台２７の左端部を、筐体本体部２０の左側板部２２に対して取り付けるための部分である。第一取付部３１には、第一取付部３１の左端から左斜め上方に突出する一対の第一取付片３１１，３１２が設けられている。第一取付片３１１，３１２は、筐体本体部２０の左側板部２２に設けられている固定孔２２１，２２２（図３参照）に差し込まれる。図３のＷ領域に示すように、固定孔２２１，２２２は、第一取付片３１１，３１２を下方から上側に向けて差し込み可能に設けられている。第一取付部３１は、本体部３３の上面から上方にやや隆起して設けられており、第一取付片３１１，３１２が固定孔２２１，２２２に差し込まれた状態で左側板部２２に支持されるバーナ取付台２７の強度を保っている。第一取付部３１の下方には、ストッパ３９３，３９４（図６参照）が設けられている。ストッパ３９３，３９４は、第一取付片３１１，３１２が固定孔２２１，２２２に差し込まれた状態で、左側板部２２における固定孔２２１，２２２の下側の位置に当接することで、本体部３３を略水平に安定して支持する。
【００３６】
なお、バーナ取付台２６の第一取付部３１は、バーナ取付台２６の右端部を構成する。第一取付部３１には、第一取付部３１の右端から右斜め上方に突出する一対の第一取付片３１１，３１２が設けられている。筐体本体部２０の右側板部２１に設けられている固定孔２１１，２１２も、固定孔２２１，２２２と同様に、バーナ取付台２７の第一取付片３１１，３１２を、下方から上側に向けて差し込み可能に設けられている（図３参照）。
【００３７】
図４及び図６に示すように、第二取付部３２は、バーナ取付台２７の右端部を構成する。第二取付部３２は、バーナ取付台２７の右端部を、グリルユニット４０における遮熱板７０の本体部７１の左部に対して取り付けるための部分である。第二取付片３２１は、第二取付部３２において、本体部３３の前側端部の一部が本体部３３から下方に折り返されて形成される爪状部である。図５及び図６に示すように、第二取付片３２２は、第二取付部３２において、本体部３３の後側端部の一部が本体部３３から下方に折り返されて形成される爪状部である。すなわち、第二取付片３２１，３２２は、本体部３３の右端部にあたる第二取付部３２において、本体部３３の上面と同じ高さから下方に延びている。第一取付部３１の第一取付片３１１，３１２が、左側板部２２に設けられている固定孔２２１，２２２に差し込まれた状態で、本体部３３は左右方向に延びる。このとき、第二取付部３２は、遮熱板７０の本体部７１の左部に向けて延び、第二取付片３２１，３２２が、本体部７１に設けられた貫通孔７１３，７１４（図３参照）に差し込まれる。このようにして、バーナ取付台２７は、筐体本体部２０の左側板部２２と、グリルユニット４０との間を架設する。
【００３８】
なお、バーナ取付台２６においても同様に、第一取付部３１の第一取付片３１１，３１２が、右側板部２１に設けられている固定孔２１１，２１２に差し込まれた状態で、本体部３３は左右方向に延びる。このとき、本体部３３の左端は、遮熱板７０の本体部７１の右部に向けて延び、第二取付片３２１，３２２が、本体部７１に設けられた貫通孔７１１，７１２（図３参照）に差し込まれる。このようにして、バーナ取付台２６は、筐体本体部２０の右側板部２１と、グリルユニット４０との間を架設する。
【００３９】
図４に示すように、第二取付部３２の右端には、上方に折り返された折り返し部３９１が設けられている。固定穴３３１と本体部３３の左端との間には、上方に折り返された折り返し部３９２が設けられている。折り返し部３９１，３９２のそれぞれの上部は、本体部３３の左右の外側に向けて略水平に延びる。折り返し部３９１，３９２は、加熱等によって下方に撓んだ天板３を下側で支持し、天板３がさらに下方へ変位することを規制する
【００４０】
図４及び図５に示すように、第一設置部３４は、開口部３８の後方の位置にあたる本体部３３の後端部に設けられ、点火電極５４（図３参照）をバーナ取付台２７に設置するための部位である。点火電極５４は、こんろバーナ５に放電による点火を行うための、軸状の電装部品である。第一設置部３４は、本体部３３の後端部の一部が略垂直上方に折り曲げられることで形成されている。点火電極５４は、所定の針金等を用いて第一設置部３４に固定される（図３参照）。
【００４１】
図４及び図５に示すように、第二設置部３５は、本体部３３の後端部において第一設置部３４の右側に設けられ、熱電対５５（図３参照）をバーナ取付台２７に設置するための部位である。熱電対５５は、こんろバーナ５における火炎の有無を検知するための、軸状の電装部品である。第二設置部３５は、本体部３３の後端部の一部が斜め上方に折り曲げられることで形成されている。熱電対５５は、所定の針金等を用いて第二設置部３５に固定される（図３参照）。
【００４２】
図４及び図５に示すように、第三設置部３６は、開口部３８の後端側の縁部に設けられ、鍋センサ５３を（図３参照）をバーナ取付台２７に設置するための板状部である。鍋センサ５３は、内部にサーミスタを格納し、バーナキャップ５２の中央に配置されて、鍋底温度等、被加熱物の温度を検知するための、軸状の電装部品である。第三設置部３６は、開口部３８の後端側の縁部が、左右方向に所定の長さを有して下方に折り曲げられて形成されている。第一設置部３４、第二設置部３５、及び、第三設置部３６がバーナ取付台２７に一体に設けられているので、こんろ１は、部品点数を増やすことなく、点火電極５４、熱電対５５、及び鍋センサ５３を、こんろバーナ５とともにバーナ取付台２７に設置できる。
【００４３】
図４に示すように、第三設置部３６は、一対の上係止爪３６１、一対の下係止爪３６２、固定穴３６３を備える。一対の上係止爪３６１は、第三設置部３６の上端部における左右方向略中央に設けられている。一対の下係止爪３６２は、第三設置部３６の下端部における左右方向略中央に設けられている。一対の上係止爪３６１及び一対の下係止爪３６２は、第三設置部３６の前方に突出して設けられている。固定穴３６３は、一対の上係止爪３６１と、一対の下係止爪３６２との上下方向における間の位置に設けられている円孔である。図６に示すように、鍋センサ５３は、その軸部の下端部に金属製のホルダ５３Ａを装着している。鍋センサ５３は、その軸部を一対の上係止爪３６１及び一対の下係止爪３６２のそれぞれに挟持された状態で、螺子５３Ｂによってホルダ５３Ａに設けられている図示しない螺子孔を介して固定穴７６３に螺子止めされる。
【００４４】
図４及び図５に示すように、溝部３７は、本体部３３の前端部に設けられ、本体部３３よりも低い位置で左右方向に略水平に延びる溝状の部位である。溝部３７は、第一壁部３７１、底面部３７２、第二壁部３７３を備える。第一壁部３７１は、本体部３３の前端部が左右方向に所定の長さを有して下方に屈曲し、本体部３３に対して略垂直に延びている。
【００４５】
なお、前述の開口部３８は、第一壁部３７１の右端寄りの位置において、第一壁部３７１の略上半分の部分を、前後方向に開口するように設けられている。すなわち、開口部３８は、本体部３３の上面に対して、図４に示す第一壁部３７１の略上半分の部分の長さＨに対応する深さを有する。接続部５１Ａは、スロート部５６の後端部をバーナ本体部５１に接続するため、少なくともスロート部５６の後端部における太さに対応する上下方向の長さを有する。長さＨは、フランジ部５７，５８と、接続部５１Ａの下端との間の長さに対応して設けられている。したがって、バーナ取付台２７にこんろバーナ５が取り付けられた状態で、接続部５１Ａとバーナ取付台２７とが干渉しない。
【００４６】
底面部３７２は、第一壁部３７１の下端から前方に屈曲して略水平に延設され、平面視左右方向に延びる略帯状に形成されている。底面部３７２には、バーナ取付台２７の第二取付部３２側の端部である右端部に、底面部３７２を上下方向に貫通する丸孔である固定孔３７４が設けられている。固定孔３７４は、溝部３７における第二取付部３２側の端部を、遮熱板７０の右縁部７２に設けられた固定孔７２１、及び、グリルフード６０の右縁部６２に設けられた固定孔６２１に対して螺子止めするための螺子孔である。底面部３７２において、固定孔３７４よりもバーナ取付台２７の第一取付部３１側である左側には、底面部３７２を上下方向に貫通する孔部３７５が設けられている。孔部３７５は、固定孔３７４よりもやや大きな丸孔である。
【００４７】
第二壁部３７３は、底面部３７２の前端部が左右方向に所定の長さを有して上方に屈曲し、底面部３７２に対して略垂直に延びている。このように、溝部３７が、第一壁部３７１、底面部３７２、第二壁部３７３を備えて一体に形成されるので、こんろ１は、溝部３７を、例えば、プレス加工によって一体に形成することができる。
【００４８】
こんろ１が使用されると、煮こぼれ等により天板３の上側において生じた液体が、こんろバーナ５，５と天板３との間の隙間を介して筐体２の内部に浸入し、浸入した液体がバーナ取付台２６，２７に向けて滴下することがある。溝部３７は、バーナ取付台２６，２７に向けて滴下した液体を、その内側において受け止めることができる。溝部３７において受け止められた液体は、第二壁部３７３によってせき止められて、バーナ取付台２６，２７の前方に滴下することが規制される。バーナ取付台２６，２７の前方にあたる筐体２の前板部２４の背面側には、前述のガス量調節装置１８，１９が設けられている。筐体２の内部に浸入した液体が、ガス量調節装置１８，１９に向けて滴下することは、こんろ１の安全性担保の観点から好ましくないが、バーナ取付台２６，２７に溝部３７が設けられているので、液体が、ガス量調節装置１８，１９に向けて滴下し難い。したがって、こんろ１の安全性が保たれる。
【００４９】
底面部３７２には、孔部３７５が設けられているので、溝部３７において受け止められた液体は、孔部３７５を介して筐体２の内部下方にさらに滴下する。すなわち、底面部３７２に孔部３７５を設けることで、溝部３７において受け止められた液体が筐体２の内部下方に滴下する位置が、孔部３７５に対応する位置に限定される。
【００５０】
本実施形態では、バーナ取付台２７が、遮熱板７０の上面の右端側と筐体２の右側板部２１の上端部との間を架設した状態で、孔部３７５がグリルユニット４０の右端よりも右側に配置される。また、バーナ取付台２７が、遮熱板７０の上面の左端側と筐体２の左側板部２２の上端部との間を架設した状態で、孔部３７５がグリルユニット４０の左端よりも左側に配置される。この場合、溝部３７に受け止められた液体が、底面部３７２の上をグリルユニット４０の方に向けて流れても、流れた液体は、固定孔３７４の位置まで到達する前に、孔部３７５を介して下方に滴下しやすい。すなわち、バーナ取付台２６の底面部３７２の上を左方に流れる液体は、固定孔３７４と螺子止めされる遮熱板７０の右縁部７２の固定孔７２１、及び、グリルフード６０の右縁部６２の固定孔６２１に到達し難い。同様に、バーナ取付台２７の底面部３７２の上を右方に流れる液体は、固定孔３７４と螺子止めされる遮熱板７０の左縁部７３の固定孔７３１、及び、グリルフード６０の左縁部６３の固定孔６３１に到達し難い。したがって、筐体２の内部に浸入した液体が、遮熱板７０の固定孔７２１，７３１、及び、グリルフード６０の固定孔６２１，６３１を介して、グリルユニット４０の内部に浸入するような不具合が防止される。このように、こんろ１は、溝部３７における孔部３７５の配置を工夫することで、溝部３７の受け止めた液体を、こんろ１の安全性に問題の生じない位置に滴下させることができる。
【００５１】
図７を参照して、筐体本体部２０の右側板部２１とグリルユニット４０との間においてバーナ取付台２６を架設する際における、作業者の作業内容について説明する。作業者は、バーナ取付台２６を、筐体本体部２０の右側板部２１とグリルユニット４０との間を架設するとき、まず、第一取付片３１１，３１２を下側にしてバーナ取付台２６を傾ける。次いで、作業者は、下側にされたバーナ取付台２６の第一取付片３１１，３１２を、固定孔２１１，２１２に対して下方から差し込む。その後、作業者は、第一取付片３１１，３１２が固定孔２１１，２１２に対して差し込まれている箇所を支点にして、バーナ取付台２６の左端を下方に移動させて、バーナ取付台２６の左端をグリルユニット４０の上側に近接させる。バーナ取付台２６の本体部３３の下面が遮熱板７０の本体部７１の上面に当接すると、第二取付片３２１，３２２が、貫通孔７１１，７１２に対して上側から差し込まれる。このように、こんろ１は、右側板部２１における固定孔２１１，２１２、遮熱板７０の本体部７１における貫通孔７１１，７１２、及び、バーナ取付台２６における第一取付片３１１，３１２及び第二取付片３２１，３２２の各配置の工夫により、筐体２の内部におけるバーナ取付台２６の位置決めを容易にしている。また、右端部が、右側板部２１の固定孔２１１，２１２に対して下方から差し込まれ、左端部が遮熱板７０の貫通孔７１１，７１２に対して上側から差し込まれたバーナ取付台２６は、右側板部２１と、グリルユニット４０との間を安定して架設される。また、バーナ取付台２６の右端部と左端部とで、右側板部２１又はグリルユニット４０に対して差し込まれる方向が上下反対にされているので、バーナ取付台２６が、右側板部２１とグリルユニット４０との間から外れにくくなる。
【００５２】
左側板部２２とグリルユニット４０との間を架設されたバーナ取付台２６の溝部３７は、底面部３７２の左端において、遮熱板７０の右縁部７２に当接する。このとき、グリルユニット４０において、グリルフード６０の右縁部６２に設けられた固定孔６２１と、遮熱板７０の右縁部７２に設けられた固定孔７２１とが、上下に位置決めされている。したがって、上下に位置決めされた固定孔６２１及び固定孔７２１に対して、底面部３７２に設けられた固定孔３７４が、上側から位置決めされる。作業者は、上下に位置決めされた固定孔６２１，７２１，３７４に対して、上方から螺子３７４Ａ（図２参照）を差し込んでそれぞれ締結する。このようにして、作業者は、遮熱板７０と、グリルフード６０と、バーナ取付台２６とを、一度に締結できるので、こんろ１の組み立てにおける作業性が向上する。
【００５３】
このようにして、バーナ取付台２６の左端部は、遮熱板７０の右部に対して、本体部７１においては貫通孔７１１，７１２に第二取付片３２１，３２２が差し込まれ、右縁部７２においては固定孔７２１と固定孔３７４とが螺子止めされた状態で固定される。バーナ取付台２６の左端部は、遮熱板７０の右端部における上下に異なる位置のそれぞれに固定されるので、バーナ取付台２６の左端部がグリルユニット４０の右端部において安定する。
【００５４】
なお、図示しないが、左側板部２２における固定孔２１１，２１２、遮熱板７０の本体部７１における貫通孔７１３，７１４、及び、バーナ取付台２７における第一取付片３１１，３１２及び第二取付片３２１，３２２の各配置も、同様に工夫されている。したがって、こんろ１は、筐体２の内部におけるバーナ取付台２７の位置決めを容易にし、また、バーナ取付台２７を、左側板部２２とグリルユニット４０との間から外れにくくしている。また、作業者は、遮熱板７０と、グリルフード６０と、バーナ取付台２７とを締結する際に、上下に位置決めされた固定孔６３１，７３１，３７４（図３参照）の上方から、螺子３７４Ａ（図２参照）を差し込んで一度に締結できる。したがって、こんろ１の組み立てにおける作業性が向上される。また、バーナ取付台２６の右端部は、遮熱板７０の左端部に対して、本体部７１においては貫通孔７１３，７１４に第二取付片３２１，３２２が差し込まれ、右縁部７２においては固定孔７３１と固定孔３７４とが螺子止めされた状態で固定される。バーナ取付台２７の右端部は、遮熱板７０の左端部における上下に異なる位置のそれぞれに固定されるので、バーナ取付台２６の右端部がグリルユニット４０の左端部において安定する。
【００５５】
以上説明したように、バーナ取付台２６，２７の第一取付部３１は、バーナ取付台２６，２７を、筐体本体部２０の右側板部２１又は左側板部２２に対して取り付けるための部分である。第二取付部３２は、バーナ取付台２６，２７を、グリルユニット４０における遮熱板７０の本体部７１の左部に対して取り付けるための部分である。バーナ取付台２６，２７は、本体部３３に開口部３８を備えている。開口部３８を左右に挟む位置に、固定穴３３１，３３２が設けられている。こんろバーナ５，５の固定孔５７１，５８１と、本体部３３の固定穴３３１，３３２とが、螺子５７Ａ，５８Ａによって締結される。このとき、こんろバーナ５の接続部５１Ａが、本体部３３に干渉することなく、開口部３８の内側に位置する。開口部３８の後方の位置にあたる本体部３３の後端部には、点火電極５４を設置する第一設置部３４及び熱電対５５を設置する第二設置部３５が設けられている。開口部３８の後端側の縁部に、鍋センサ５３を設置する第三設置部３６が設けられている。このため、こんろ１は、部品点数を増やすことなく、点火電極５４、熱電対５５、及び鍋センサ５３を、こんろバーナ５，５とともにバーナ取付台２６，２７に設置できる。さらに、バーナ取付台２６，２７には、本体部３３の前端部において、本体部３３よりも低い位置で左右方向に略水平に延びる溝部３７を備えている。溝部３７は、筐体２の内部に浸入した液体を受け止めることができるので、こんろ１は、筐体２の内部への液体の浸入による不具合の発生を低減できる。
【００５６】
バーナ取付台２６，２７には、筐体２の右側板部２１及び左側板部２２に近接する側の端部を構成する第一取付部３１から斜め上方に突出する、一対の第一取付片３１１，３１２が設けられている。また、バーナ取付台２６，２７には、グリルユニット４０に近接する側の端部を構成する第二取付部３２において、本体部３３の上面と同じ高さから下方に延びる第二取付片３２１，３２２が設けられている。バーナ取付台２６の第一取付片３１１，３１２は、右側板部２１の固定孔２１１，２１２に下方から差し込まれる。バーナ取付台２７の第一取付片３１１，３１２は、左側板部２２の固定孔２２１，２２２に下方から差し込まれる。第一取付片３１１，３１２が右側板部２１の固定孔２１１，２１２に差し込まれている箇所を支点にして、バーナ取付台２６の左端をグリルユニット４０の上側に近接させることで、第二取付片３２１，３２２が、遮熱板７０の本体部７１の右部における貫通孔７１１，７１２に上方から差し込まれる。第一取付片３１１，３１２が左側板部２２の固定孔２２１，２２２に差し込まれている箇所を支点にして、バーナ取付台２７の右端をグリルユニット４０の上側に近接させることで、第二取付片３２１，３２２が、遮熱板７０の本体部７１の左部における貫通孔７１３，７１４に上方から差し込まれる。したがって、筐体２の内部において、バーナ取付台２６，２７が容易に位置決めされる。
【００５７】
溝部３７は、第一壁部３７１、底面部３７２、第二壁部３７３を備えて一体に形成される。したがって、こんろ１は、溝部３７を、例えば、プレス加工によって一体に形成することができる。
【００５８】
バーナ取付台２６は、筐体２の右側板部２１と、グリルユニット４０との間を架設した状態で、固定孔３７４において遮熱板７０の右縁部７２の固定孔７２１、及び、グリルフード６０の右縁部６２の固定孔６２１に対して螺子止めされる。バーナ取付台２７は、筐体２の左側板部２２と、グリルユニット４０との間を架設した状態で、固定孔３７４において遮熱板７０の左縁部７３の固定孔７３１、及び、グリルフード６０の左縁部６３の固定孔６３１に対して螺子止めされる。したがって、バーナ取付台２６，２７は、グリルユニット４０に対して強固に取り付けられる。バーナ取付台２６の溝部３７において、孔部３７５は、固定孔３７４よりも右側に配置される。バーナ取付台２７の溝部３７において、孔部３７５は、固定孔３７４よりも左側に配置される。よって、溝部３７に受け止められた液体が、底面部３７２の上をグリルユニット４０の方に向けて流れても、流れた液体は、固定孔３７４の位置まで到達する前に、孔部３７５を介して下方に滴下しやすい。したがって、筐体２の内部に浸入した液体が、遮熱板７０の固定孔７２１，７３１、及び、グリルフード６０の固定孔６２１，６３１を介して、グリルユニット４０の内部に浸入するような不具合が防止される。
【００５９】
本実施形態において、こんろ１が、本発明の「こんろ」に相当する。グリルユニット４０が、本発明の「グリルユニット」に相当する。筐体２が、本発明の「筐体」に相当する。右側板部２１及び左側板部２２が、本発明の「側壁」に相当する。こんろバーナ５が、本発明の「バーナ」に相当する。スロート部５６が、本発明の「混合管部」に相当する。バーナ本体部５１が、本発明の「バーナ本体」に相当する。固定孔５７１，５８１が、本発明の「バーナ取付部」に相当する。バーナ取付台２６，２７が、本発明の「取付台」に相当する。第一取付部３１が、本発明の「第一取付部」に相当する。第一取付片３１１，３１２が、本発明の「第一取付片」に相当する。第二取付部３２が、本発明の「第二取付部」に相当する。第二取付片３２１，３２２が、本発明の「第二取付片」に相当する。本体部３３が、本発明の「第三取付部」に相当する。開口部３８が、本発明の「開口部」に相当する。固定穴３３１，３３２が、本発明の「バーナ固定部」に相当する。第一設置部３４及び第二設置部３５が、本発明の「第一設置部」に相当する。第三設置部３６が、本発明の「第二設置部」に相当する。溝部３７が、本発明の「溝部」に相当する。第一壁部３７１が、本発明の「第一壁部」に相当する。底面部３７２が、本発明の「水平部」に相当する。第二壁部３７３が、本発明の「第二壁部」に相当する。固定孔３７４が、本発明の「第一固定孔」に相当する。孔部３７５が、本発明の「孔部」に相当する。固定孔２１１，２１２，２２１，２２２が、本発明の「第一差込孔」に相当する。貫通孔７１１，７１２，７１３，７１４が、本発明の「第二差込孔」に相当する。固定孔７２１，７３１が、本発明の「第二固定孔」に相当する。右縁部７２及び左縁部７３が、本発明の「段差部」に相当する。
【００６０】
なお、本発明は上記実施形態に限定されるものではなく、種々の変更が可能である。例えば、バーナ取付台２６，２７の第一取付部３１において、第一取付片３１１，３１２が斜め下方に突出するように設けられていてもよい。そして、筐体本体部２０の右側板部２１に設けられている固定孔２１１，２１２、及び、左側板部２２に設けられている固定孔２２１，２２２は、バーナ取付台２６，２７の第一取付片３１１，３１２を上方から下側に向けて差し込み可能に設けられていてもよい。
【００６１】
筐体２内部へのバーナ取付台２６の取り付けにおいては、バーナ取付台２６の第二取付片３２１，３２２が、遮熱板７０の貫通孔７１１，７１２に対して上側から差し込まれた後に、第一取付片３１１，３１２が固定孔２１１，２１２に対して下方から差し込まれてもよい。
【００６２】
上記実施形態では、グリルユニット４０は、グリル庫５００と遮熱板７０とを備えているが、グリルユニット４０が遮熱板７０を備えない構成であってもよい。この場合、バーナ取付台２６，２７は、筐体本体部２０の右側板部２１又は左側板部２２と、グリル庫５００との間を架設されてもよい。この場合、貫通孔７１１，７１２，７１３，７１４に相当する第二差込孔が、グリル庫５００の上面に設けられれば良い。
【００６３】
バーナ取付台２６，２７において、第一取付片３１１，３１２は一対になっているが、第一取付片の数は２つに限らず、１つでもよく、３つ以上であってもよい。第二取付片３２１，３２２についても同様に、第二取付片の数は２つに限らず、１つでもよく、３つ以上であってもよい。また、固定穴３３１，３３２の形状、個数、孔部３７５の形状、個数は、上記実施形態に限らず、任意に変更可能である。
【００６４】
上記実施形態では、バーナ取付台２６，２７がプレス加工によって形成されているが、この他、バーナ取付台２６，２７が、複数の部材を組み合わせて構成されていてもよい。したがって、溝部３７も、一体に形成される態様に限られず、複数の部材を組み合わせて構成されていてもよい。
【００６５】
上記実施形態のこんろ１はグリル付きテーブルこんろであるが、ビルトインタイプのこんろであってもよい。また、こんろ１は、右側のこんろバーナ５と右側のこんろバーナ５の２つのバーナを備えるが、バーナの数は２つに限らず、１つでもよく、３つ以上であってもよい。
【符号の説明】
【００６６】
１    こんろ
２    筐体
５    こんろバーナ
２１    右側板部
２２    左側板部
２６，２７    バーナ取付台
３１    第一取付部
３２    第二取付部
３３    本体部
３４    第一設置部
３５    第二設置部
３６    第三設置部
３７    溝部
３８    開口部
４０    グリルユニット
５１    バーナ本体部
５６    スロート部
７２    右縁部
７３    左縁部
２１１，２１２，２２１，２２２    固定孔
３１１，３１２    第一取付片
３２１，３２２    第二取付片
３３１，３３２    固定穴
３７１    第一壁部
３７２    底面部
３７３    第二壁部
３７４    固定孔
３７５    孔部
５７１，５８１    固定孔
７１１，７１２，７１３，７１４    貫通孔
７２１，７３１    固定孔
【図１】
0006650319.tif 000002
【図２】
0006650319.tif 000003
【図３】
0006650319.tif 000004
【図４】
0006650319.tif 000005
【図５】
0006650319.tif 000006
【図６】
0006650319.tif 000007
【図７】
0006650319.tif 000008